(57)【要約】【課題】施工時間を大幅に短縮し、芝の通過空間を最大限に確保して芝の生育を促進し、使用者の操作の不便さを解消する一体型組立方式の芝保護マットを提供する。【解決手段】本発明は、芝の通過空間が連続して配置されるボディ部と、前記ボディ部の外郭をしあげるように四方に形成された４つのフレームを含む外郭枠部を備えている芝保護マットにおいて、前記外郭枠部の第１の側方フレームから、隣接した他の芝保護マットの外郭枠部の第２の側方フレームに向かって水平に突出する一つ以上のフック締結手段を含み、前記一つ以上のフック締結手段は、これに対応して、前記隣接した他の芝保護マットの外郭枠部の第２の側方フレームに設けられる一つ以上の締結孔に締結されるように形成されることを特徴とする。【選択図】    図１
2018174935.tif 000002
【特許請求の範囲】
【請求項１】
芝の通過空間が連続して配置されるボディ部と、前記ボディ部の外郭をしあげるように四方に形成された４つのフレームを含む外郭枠部を備えている芝保護マットにおいて、
前記芝保護マットは、前記外郭枠部の第１の側方フレームから、隣接した他の芝保護マットの外郭枠部の第２の側方フレームに向かって水平に突出する一つ以上のフック締結手段をさらに含み、
前記一つ以上のフック締結手段は、これに対応して、前記第１の側方フレームに隣接した前記他の芝保護マットの外郭枠部の第２の側方フレームに設けられる一つ以上の締結孔に締結されるように形成される芝保護マット。
【請求項２】
前記芝保護マットの外郭枠部は、前記第１の側方フレームと対面する第２の側方フレームを含み、前記芝保護マットの前記第２の側方フレームには、前記他の芝保護マットの一つ以上のフック締結手段がそれぞれ締結される一つ以上の締結孔が設けられる請求項１に記載の芝保護マット。
【請求項３】
前記芝保護マットの第１の側方フレーム及び第２の側方フレームは、前記芝保護マットの外郭枠部の４つのフレームの中で、直角を形成する２つのフレームで構成される請求項２に記載の芝保護マット。
【請求項４】
前記芝保護マットの前記第１の側方フレームには、一つ以上のフック締結手段が具備され、前記芝保護マットの前記第２の側方フレームには、一つ以上の締結孔が具備される請求項３に記載の芝保護マット。
【請求項５】
前記芝保護マットの第２の側方フレームに具備される一つ以上の締結孔は、前記他の芝保護マットの一つ以上のフック締結手段が設けられる第２の側方フレーム上の位置に相当する位置に形成される請求項４に記載の芝保護マット。
【請求項６】
前記フック締結手段は、前記締結孔に締結された状態で、マット間の収縮または膨張を補償できるようにする一定の間隔が形成されるように、所定の長さを有する締結支持台を含む請求項１に記載の芝保護マット。
【請求項７】
前記フック締結手段又は前記締結孔は、互いに結合および分離を容易にする弾性部材で形成される請求項１に記載の芝保護マット。
【請求項８】
前記芝保護マットの一つ以上のフック締結手段は、
前記芝保護マットの第１の側方フレームに隣接する前記他の芝保護マットの外郭枠部の第２の側方フレームに向かって水平に突出される締結支持台、及び
前記締結支持台の一段に形成され、前記他の芝保護マットの外郭枠部の第２の側方フレームに設けられる一つ以上の締結孔との締結時に挿入されるヘッド部を含む請求項１に記載の芝保護マット。
【請求項９】
前記ヘッド部は、前記締結孔との締結を容易にする円筒形、矢印型、Ｈ型のいずれか１つで形成される請求項８に記載の芝保護マット。
【請求項１０】
前記芝保護マットの第２の側方フレームで具備される締結孔は、
前記芝保護マットの第２の側方フレームの内側に向かって一定の長さの区間に沿って直径が徐々に減少する外側締結孔部、及び
前記外側締結孔部と連結されて、前記一定の長さの区間以降では、直径が一定に維持されるように形成される内側締結孔部を含む請求項２に記載の芝保護マット。
【請求項１１】
芝の通過空間が連続して配置されるボディ部と、前記ボディ部の外郭をしあげるように四方に形成された４つのフレームを含む外郭枠部を具備し、
前記外郭枠部の第１の側方フレームから、隣接した他の芝保護マットの外郭枠部の第２の側方フレームに向かって水平に突出する一つ以上のフック締結手段を含む芝保護マットを地面に固定する段階；及び
前記一つ以上のフック締結手段を、これに対応して、隣接する前記他の芝保護マットの外郭枠部の第２の側方フレームに設けられる一つ以上の締結孔に締結する段階；を含む芝保護マットの施工方法。
【発明の詳細な説明】
【技術分野】
【０００１】
本発明は、一体型組立方式の芝保護マット及び芝保護マットの施工方法に関するものとして、より詳細には、交換や施工の利便性及び使用者の操作の利便性を図ることができる一体型組立方式の芝保護マット及び芝保護マットの施工方法に関するものである。
【背景技術】
【０００２】
ゴルフ場、芝球場、及び公園の芝生などのような芝の生育地域で、芝は人又は車両などによって持続的に押されながら損傷するため、芝の改修・補修にかなりのコストが必要になる。したがって、芝の生育地域には、人又は車両などによって持続的に押されても、その荷重を緩衝させながら芝の損傷を防止する芝保護マットが施工されている。
【０００３】
従来の芝保護マットが韓国登録特許第１０−０８９８５４６号に公開されている。韓国登録特許第１０−０８９８５４６号は、隣接するマットの間の連結を容易にしながらも、荷重による芝保護マットの陥没を防止することができるもので、ボディ部、ラグ、突出柱、緩衝翼、外郭枠部が、基本的に含まれている。
【０００４】
このような従来の芝保護マットを地面に施工することにおいて、芝保護マットを結合して地面に固定するためには、マットの結合具（例えば、鉄心などのような固定ピン部材）を提供するのが一般的である。マットの結合具は、地面に固定するための固定ピンの構造を含み、各固定ピンをマットの上部から下側方向に打込むことによって、地中に刺さる柱構造を有する。
【０００５】
しかし、これらの固定ピンの構造では、結合具を上部から地面に圧着させたり打ち込んで施工しなければならないので、毎結合具ごとに過度の力がかかるだけでなく、時間的な側面でも長くかかり、その施工には困難性がある。
【０００６】
また、季節や地面の変化に応じて、他のマットに交替したり移動させたりしたい場合には、まず、施工したマットの結合具を引き抜いて除去する必要があり、その分離が容易でないという問題がある。
【０００７】
特に、従来の芝保護マットとして、フック締結手段として角の連結部材を利用して、複数のマットを連続的に結合する水平拡張型マット構造が多く利用されているが、このようなマット構造でも、同様に、固定ピンなどの別のマット結合具を、角の連結部材の連結孔を介して地面に打ち込まなければならないから、その施工には困難性があり、マットの結合及び分離は容易ではない。
【０００８】
また、マットの結合具に人の足などにより反復的な外力が加わる場合には、結合具を倒す方向の力が作用することにより揺れが発生して、結合具が徐々に抜ける現象が発生する可能性もあり、実際、人が突出した結合具の一部につまずくなどの問題が発生しているのが実情である。
【０００９】
また、マットの結合具代わりに、フック締結手段を利用して複数のマットを連結する構造においては、使用者の操作の利便性を改善した構造、例えば、マットの連結過程でのフック締結手段を利用することによる不便さを改善する構造や、使用者が手を痛める構造の改善、あるいは、面倒な操作を伴うなどの使用者の操作の不便さを改善し利便性を向上する改善、等はまだ提案されていない。
【先行技術文献】
【特許文献】
【００１０】
【特許文献１】韓国登録特許第１０−０８９８５４６号
【発明の概要】
【発明が解決しようとする課題】
【００１１】
本発明は、このような従来の問題点を解決するためのものとしてなされたものであり、上部から打込むことによって締結する従来のフック締結手段を介した複数の芝保護マットの連結は行わず、外郭枠部の側面にフック締結手段を設けて複数のマットを結合または分離させることにより、施工時間を大幅に短縮させるだけでなく、芝の通過空間を最大限に確保することによって芝の生育を促進し、使用者の操作の不便さを根本的に解消する、一体型組立方式の芝保護マットを提供することを目的とするものである。
【００１２】
特に、本発明は、芝保護マットの各外郭枠部に設けられた複数のフック締結手段と、これに対応して設けられた複数の締結孔を利用して、互いにかみ合う形態で複数の芝保護マットを結合することにより、マット間の結合力を高く維持する一体型組立方式の芝保護マットを構成しつつ、連結部自体の存在に起因する使用者の操作の不便さを最小にし、他の芝保護マットとの結合または分離を可能にすることにより、使用者の操作の利便性をさらに高めた、一体型組立方式の芝保護マットを提供することを目的とするものである。
【００１３】
また、本発明は、隣接する各単位マットの間に位置する連結部が収縮−膨張補償手段としても機能することにより、マットの収縮−膨張補償効率を高めることができ、また、芝の生育のための空間に影響を与えないように連結部を形成することにより、芝の光合成作用を活発に発生させることができる、一体型組立方式の芝保護マットを提供することを目的とするものである。
【課題を解決するための手段】
【００１４】
前記目的は、本発明の実施例によると、芝の通過空間が連続配置されるボディ部と、前記ボディ部の外郭をしあげるように四方に形成された４つのフレームを含む外郭枠部を備えている芝保護マットにより達成される。前記芝保護マットは、前記外郭枠部の第１の側方フレームから、隣接した他の芝保護マット（第２の芝保護マット）の外郭枠部の第２の側方フレームに向かって水平に突出する一つ以上のフック締結手段を含み、前記一つ以上のフック締結手段は、前記芝保護マットの前記一つ以上のフック締結手段に対応して、前記第１の側方フレームに隣接する前記他の芝保護マットの外郭枠部の第２の側方フレームに設けられた一つ以上の締結孔に締結されるように形成される。
【００１５】
また、前記芝保護マットは、それの外郭枠部に、前記第１の側方フレームと対面する第２の側方フレームを有し、前記芝保護マットの前記第２の側方フレームには、前記隣接した芝保護マットの一つ以上のフック締結手段がそれぞれ締結される一つ以上の締結孔が設けられることが望ましい。
【００１６】
また、前記芝保護マットの第１の側方フレーム及び第２の側方フレームは、前記芝保護マットの外郭枠部の４つのフレームの中で直角を形成する２つのフレームであることが望ましい。
【００１７】
また、前記フック締結手段は、前記第１の側方フレームの各フレームごとに具備され、前記締結孔は、前記第２の側方フレームの各フレームごとに備えられることが望ましい。
【００１８】
また、前記締結孔は、前記フック締結手段が設けられるフレーム上の位置に相当する位置に形成されることが望ましい。
【００１９】
また、前記フック締結手段は、前記締結孔に締結された状態で、マット間の収縮または膨張を補償できるようにする一定の間隔が形成されるように、所定の長さを有する締結支持台を含んでいることが望ましい。
【００２０】
また、前記フック締結手段又は前記締結孔は、結合及び分離を容易にする弾性部材で形成されることが望ましい。
【００２１】
また、前記フック締結手段は、前記第１の側方フレームに隣接した第２の芝保護マットの第２の側方フレームに水平に突出形成されている締結支持台及び前記締結支持台の一段に形成され、前記締結孔との締結時に挿入されるヘッド部を含むことが望ましい。
【００２２】
また、前記ヘッド部は、前記締結孔との締結を容易にする円筒形、矢印型、Ｈ型のいずれか１つで形成されることが望ましい。
【００２３】
前記締結孔は、第２の側方フレームの内側に向かって一定の長さの区間に沿って直径が徐々に減少する外側締結孔部および前記外側締結孔部と連結されて、前記一定の長さの区間以降では、直径が一定に維持されるように形成されている内側締結孔部を含んでいることが望ましい。
【００２４】
また、本発明の他の実施例によると、芝の通過空間が連続配置されるボディ部と、前記ボディ部の外郭をしあげるように四方に形成された４つのフレームを含む外郭枠部とを備えている芝保護マットを施工する方法において、前記外郭枠部の第１の側方フレームから隣接した芝保護マット（第２の芝保護マット）の外郭枠部の第２の側方フレームに水平突出する一つ以上のフック締結手段を含んでいる芝保護マットを地面に固定する段階、及び前記一つ以上のフック締結手段を、前記の芝保護マットの前記一つ以上のフック締結手段に対応して前記第１の側方フレームに隣接する前記第２の芝保護マットの外郭枠部の第２の側方フレームに設けられる一つ以上の締結孔に締結する段階を含んでいる。
【発明の効果】
【００２５】
本発明によれば、複数の芝保護マットに設けられた連結部としてのフック締結手段を利用して、芝保護マット間の結合または分離を容易にすることによって、複数のマットの結合または分離時に施工の利便性を図ることができる。
【００２６】
特に、本発明によれば、芝保護マットの各外郭枠部に設けられた複数のフック締結手段と、これに対応して、設けられた複数の締結孔を利用して、互いにかみ合う形態で複数の芝保護マットを結合して、マット間の結合力を高く維持する、一体型組立方式の芝保護マットを構成しつつ、連結部自体の存在に起因する使用者の操作の不便さを最小にしながら、他の芝保護マットとの結合または分離を可能とすることにより、使用者の操作の利便性をさらに向上させることができる。
【００２７】
また、本発明によると、隣接する各単位マットの間に位置する連結部が収縮−膨張補償手段として機能することにより、マットの収縮−膨張補償効率を高め、また、連結部を芝の生育のための空間に影響を与えないように形成することにより、芝の光合成作用を活発に発生させることができる。
【図面の簡単な説明】
【００２８】
【図１】図１は、本発明の実施例に係る芝保護マットの斜視図である。
【図２】図２は、本発明の実施例に係る芝保護マットの平面図である。
【図３】図３（ａ）および図３（ｂ）は、本発明の実施例に係るフック締結手段を拡大して示した図面である。
【図４】図４（ａ）は、本発明の実施例に係る他の形態のフック締結手段を拡大して示した図面であり、図４（ｂ）は、図４（ａ）に図示されたフック締結手段を、図１のＢ方向から見た平面図であり、図４（ｃ）は、図４（ａ）に図示されたフック締結手段を、図１のＣ方向から見た側断面図である。
【図５】図５（ａ）および図５（ｂ）は、本発明の締結孔を拡大して示した図面である。
【図６】図６（ａ）ないし図６（ｃ）は、本発明に係る他の形態の芝保護マットを示した図である。
【発明を実施するための形態】
【００２９】
以下では、添付した図面を参照して、本願が属する技術分野の通常の知識を有する者が容易に実施できるように、本願の実施例を詳細に説明する。しかし、本願は、様々な異なる形態で具現されることができ、ここで説明する実施例に限定されない。そして、図面で本願を明確に説明するために、説明と関係ない部分は省略し、明細書全般を通じて、類似した部分については同様の符号を付した。
【００３０】
以下、添付した図面を参照して、本発明の実施例に係る結合及び分離可能な芝保護マットについて詳細に説明する。
【００３１】
このような本発明の芝保護マット１２０は、基本的に芝の生育や活着性を向上させる多角または円形の形態の中で選択された一つの形態、例えば、六角形状の芝の通過空間が所定のパターンで相次いで形成された、各ボディ部を含んでいる。
【００３２】
前記ボディ部の芝の通過空間は、地面の特性や季節又は環境等に応じて四角形、菱形、三角形、八角形または円形などの様々な形態とすることができる。したがって、本発明の実施例では、芝保護マット１２０は、六角形状のボディ部を含めて、各芝の通過空間を形成するようにボディ部を製作することを例示しているが、その形状は多様に例示することができる。
【００３３】
このような六角形状を持つボディ部は、芝の通過空間が連続する連結構造を形成することができる構造の中で、芝の通過空間の面積を最大化することができる利点がある。したがって、ボディ部が六角形状で提供されている場合には、他の多角形または円形で提供される場合よりも芝の通過空間の面積が広くなるため、芝の光合成作用を活発に発生させることができる。
【００３４】
つまり、芝の生育空間をさらに拡張させることができ、これにより芝の光合成作用を円滑にし、ボディ部での不要な空間が発生しないようにすることを考慮して、六角形状以外の様々な形態の芝の通過空間を形成するようにボディ部製作することが可能である。
【００３５】
図１は、本発明の実施例に係る芝保護マットの斜視図であり、図２は、本発明の実施例に係る芝保護マットの平面図である。図１および図２では、４つの単位マットが一体型の芝保護マット１２０をなすものと示されている。
【００３６】
図１に示すように、前記芝保護マット１２０は、ボディ部１２１、フック締結手段１２３、外郭枠部１２４、および締結孔１２５を含んでいる。
【００３７】
前記ボディ部１２１は、芝が生育する地面の上側に設けられが、芝が光合成をしたり、成長するように芝の通過空間を形成するもので、ボディ部１２１が連続的に配列されて、一体に連結されることにより、全体的な芝保護マット１２０の骨格を構成する。
【００３８】
一方、前記ボディ部１２１は、三角形、八角形、四角形（菱形）などの多角形または円形に提供されることができるが、本発明の実施例では、芝の通過空間が相次いで連結された構造を形成できる構造の中で、六角形状で提供されたことを例として説明する。
【００３９】
前記外郭枠部１２４は、芝保護マット１２０を構成する小さな４つの単位マットの外郭をしあげる四角形状の部材である。すなわち、図１及び図２に示すように、平面から見て、マットの四角形の外郭枠に位置する直線状の部材である。また、外郭枠部１２４は、４つの方向に四角形の枠を維持する側方フレーム１２４ａ、１２４ｂ、１２４ｃ、１２４ｄを含むことができる。
【００４０】
前記フック締結手段１２３は、隣接する他の芝保護マット１２０間の連結施工のために設けられる部材であり、芝保護マット１２０の最外郭を構成する部分である前記外郭枠部１２４のうちの特定の位置に設けられる。特に、前記フック締結手段１２３は、前記外郭枠部１２４の側面部分の一部分、すなわち、芝保護マット１２０を、例えば、図１に示されたＡ方向から見た側面部分のうち、一部分に設けられる。例示された図面では、フック締結手段１２３は、前記外郭枠部１２４の側面部分のうち、およそ中央部に位置するものと図示されている。しかし、フック締結手段１２３が設けられる位置は、他のマットの結合または分離の容易性を考慮して、外郭枠部１２４の側面部分のうち、他の位置でも可能であることは言うまでもない。
【００４１】
また、前記フック締結手段１２３は、図２に示すように、一つの単位マットの全体の外郭を形成する４つの外郭枠部のうち２つの外郭枠部１２４に設けられる。特に、フック締結手段１２３は、隣接する他のマットとの締結がさらに容易になるように、４つのフレームらのうち、第１の側方フレーム１２４ａ、１２４ｂに支持・固定されて設けられるように形成される。
【００４２】
ここで、４つのフレームのうち、残りの第２の側方フレーム１２４ｃ、１２４ｄには、他の芝保護マットのフック締結手段と締結されるように構成される、後述する締結孔１２５が設けられる。
【００４３】
また、フック締結手段１２３は、芝保護マットの第１の側方フレーム１２４ａ、１２４ｂから、隣接した他の芝保護マットの第２の側方フレーム１２４ｃ、１２４ｄに向かって水平に突出する形態を有し、後述する締結孔１２５との締結が容易にする所定の弾性力を有する弾性部材である。
【００４４】
また、フック締結手段１２３は、第１の側方フレーム１２４ａ、１２４ｂと一体的に形成することもでき、または、第１の側方フレーム１２４ａ、１２４ｂとの結合、または分離が可能なように形成することもできる。
【００４５】
前記締結孔１２５は、前記フック締結手段１２３と一緒に、隣接する他の芝保護マット１２０間の連結施工のために設けられる部分である。
【００４６】
締結孔１２５は、前記フック締結手段１２３が挿通して締結がなされるように設けられた部分であり、芝保護マット１２０の第２の側方フレーム１２４ｃ、１２４ｄの側面に設けることができる。
【００４７】
前記締結孔１２５は、前記第２の側方フレーム１２４ｃ、１２４ｄの側面部分のうち、一部分に設けられる。また、前記締結孔１２５は、図２に示すように、一つの単位マットの全体の外郭を形成する４つのフレームのうち、前記フック締結手段１２３が設けられた位置以外の残りの他の２つの側方フレームである第２の側方フレーム１２４ｃ、１２４ｄに設けられる。
【００４８】
前記締結孔１２５は、特に、隣接する他のマットとの締結がさらに容易になるように、４つのフレームのうちの第２の側方フレーム１２４ｃ、１２４ｄに支持・固定されて設けられるように形成される。
【００４９】
すなわち、図２の平面図から分かるように、それぞれの締結孔１２５は、隣接する他のマットのそれぞれのフック締結手段１２３に対応する位置に形成されることができる。つまり、第１の側方フレーム１２４ａ、１２４ｂと対面する第２の側方フレーム１２４ｃ、１２４ｄには、第２の芝保護マットのフック締結手段が締結される締結孔が設けられる。
【００５０】
また、例示された図面では、前記締結孔（１２５）は、前記外郭枠部（１２４）の側面部分のうち、中央部分に位置することが示されている。しかし、前記締結孔（１２５）が設けられる位置は、複数のマットの結合または分離の容易性を考慮して、外郭枠部（１２４）の側面部分のうち、他の位置でも可能であることは言うまでもない。
【００５１】
また、前記締結孔１２５は、前記外郭枠部１２４の内側に向かって貫通する挿入孔の形態を有し、前記フック締結手段１２３との締結が容易になるようた、所定の弾性力を有する部分である。
【００５２】
図３（ａ）および図３（ｂ）は、本発明の実施例に係るフック締結手段を拡大して示した図面である。
【００５３】
図３（ａ）に図示すように、前記フック締結手段１２３は、第１のヘッド部１２３ｄ、第１の締結支持台１２３ｅ、第２のヘッド部１２３ｆ、第２の締結支持台１２３ｇ及び連結部１２３ｈを含んでいる。図３（ａ）に示すように、前記第１のヘッド部１２３ｄ及び第２のヘッド部１２３ｆは、直角三角形状の部材であり、前記連結部１２３ｈは、前記第１のヘッド部１２３ｄと、前記第２のヘッド部１２３ｆとの間を連結する部材である。これらの第１のヘッド部１２３ｄ、第２のヘッド部１２３ｆ及び連結部１２３ｈは、平面から見てＨ字形状の形態をなし、前記フック締結手段１２３と締結孔１２５の締結時に、前記締結孔１２５内に挿入される部分である。
【００５４】
前記第１の締結支持台１２３ｅ及び第２の締結支持台１２３ｇは、細長い形態の直方体形状の部材である。前記第１の締結支持台１２３ｅ及び第２の締結支持台１２３ｇは、外郭枠部１２４から突出形成され、前記第１のヘッド部１２３ｄ及び第２のヘッド部１２３ｆをそれぞれ支持する部材である。これらの第１の締結支持台１２３ｅ及び第２の締結支持台１２３ｇは、図３（ａ）に示すように、その一端が前記第１のヘッド部１２３ｄ及び第２のヘッド部１２３ｆにそれぞれ連結され、その他端が前記外郭枠部１２４に連結される。また、これらの第１の締結支持台１２３ｅ及び第２の締結支持台１２３ｇは、所定の長さ、例えば、図３（ａ）でＬで表示した長さに形成される。この長さＬは、図２に示した単位マット間の間隔に一致する長さに形成されなければならない。この長さに応じて、前記フック締結手段１２３と締結孔１２５が締結された状態で、マット間の収縮または膨張を補償することができるようにする一定の間隔が形成されることができる。
【００５５】
また、前記第１の締結支持台１２３ｅ及び第２の締結支持台１２３ｇは、前記フック締結手段１２３と締結孔１２５との間の締結を維持しながらも、芝の通過空間に影響を与えないように、所定の厚さを有する。これらの第１の締結支持台１２３ｅ及び第２の締結支持台１２３ｇの厚さ（つまり、直方体形状で矩形断面の長辺の長さ）は、図３（ａ）に示すように、前記外郭枠部１２４の厚さよりも薄く形成される。
【００５６】
また、図３（ｂ）に示すように、前記フック締結手段１２３は、第１のヘッド部１２３ｉ、第１の締結支持台１２３ｊ、第２のヘッド部１２３ｋ、及び第２の締結支持台１２３ｌを含んでいる。図３（ｂ）に示すように、前記第１のヘッド部１２３ｉ及び第２のヘッド部１２３ｋは、直角三角形状の部材である。これらの第１のヘッド部１２３ｉ及び第２のヘッド部１２３ｋは、平面からみて、およそ矢印頭部分の形状をなし、前記フック締結手段１２３と締結孔１２５の締結時に、前記締結孔１２５内に挿入される部分である。
【００５７】
前記第１の締結支持台１２３ｊ及び第２の締結支持台１２３ｌは、細長い形態の直方体形状の部材である。前記第１の締結支持台１２３ｊ及び第２の締結支持台１２３ｌは、外郭枠部１２４から突出形成され、前記第１のヘッド部１２３ｉ及び第２のヘッド部１２３ｋをそれぞれ支持する部材である。これらの第１の締結支持台１２３ｊ及び第２の締結支持台１２３ｌは、図３（ｂ）に示すように、その一端が前記第１のヘッド部１２３ｉ及び第２のヘッド部１２３ｋにそれぞれ連結され、その他端が前記外郭枠部１２４に連結される。また、これらの第１の締結支持台１２３ｊ及び第２の締結支持台１２３ｌは、所定の長さ、例えば、図３（ｂ）でＬで表示した長さに形成される。この長さＬは、図２に示した単位マット間の間隔以上の長さを持つことができる。これは、前記フック締結手段１２３及び締結孔１２５が締結された状態で、マット間の収縮または膨張を補償できるようにする一定間隔が形成される長さになりことができる。
【００５８】
また、前記第１の締結支持台１２３ｊ及び第２の締結支持台１２３ｌは、前記フック締結手段１２３と締結孔１２５との間の締結を維持しながらも、芝の通過空間に影響を与えないように、所定の厚さを有する。これらの第１の締結支持台１２３ｊ及び第２の締結支持台１２３ｌの厚さ（つまり、直方体形状で矩形断面の長辺の長さ）は、図３（ｂ）に示すように、前記外郭枠部１２４の厚さよりも薄く形成される。
【００５９】
図４（ａ）は、本発明の実施例に係る他の形態のフック締結手段を拡大して示した図面であり、図４（ｂ）は、図４（ａ）に図示されたフック締結手段を図１のＢ方向から見た平面図であり、図４（ｃ）は、図４（ａ）に示されたフック締結手段を図１のＣ方向から見た側断面図である。
【００６０】
図４（ａ）に示すように、前記フック締結手段１２３は、ヘッド部１２３ａ、挿入溝１２３ｂ及び締結支持台１２３ｃを含んでいる。前記ヘッド部１２３ａは、円錐形の部材であり、前記フック締結手段１２３及び締結孔１２５の締結時に、前記締結孔１２５内に挿入される部分である。
【００６１】
前記挿入溝１２３ｂは、前記ヘッド部１２３ａの上部に形成される所定の溝形状からなる部分である。図４（ａ）に示すように、この挿入溝１２３ｂは、正面から見て、前記ヘッド部１２３ａの中心部から下側に延長され、例えば、キー溝のような形状に形成される。この挿入溝１２３ｂは、図４（ａ）に例示した形状以外にも、一字形の挿入溝などの多様な形態の構造を備えることができる。
【００６２】
また、ヘッド部１２３ａは、その上部に挿入溝１２３ｂを備えていない場合もある。
【００６３】
前記締結支持台１２３ｃは、円筒状になされて、外郭枠部１２４から突出形成されたヘッド部１２３ａを支持する部材である。この締結支持台１２３ｃは、図４（ａ）に示すように、その一端が前記ヘッド部１２３ａに連結され、その他端が前記外郭枠部１２４に連結される。また、この締結支持台１２３ｃは、所定の長さ、例えば、図４（ｂ）でＬで表示した長さに形成される。この長さＬは、図２に示した単位マット間の間隔以上の長さで形成されなければならない。これは、前記フック締結手段１２３及び締結孔１２５が締結された状態で、マット間の収縮または膨張を補償できるようにする一定の間隔が形成される長さにすることができる。
【００６４】
また、前記締結支持台１２３ｃは、前記フック締結手段１２３と締結孔１２５との間の締結を維持しながらも芝の通過空間に影響を与えないように、所定の厚さを有する。この締結支持台１２３ｃの厚さ（つまり、円筒上で円形断面の直径）は、図４（ａ）及び図４（ｃ）に示すように、前記外郭枠部１２４の厚さよりも薄く形成される。
【００６５】
図５（ａ）および図５（ｂ）は、本発明の締結孔１２５を拡大して示した図面である。
図５（ａ）に示すように、前記締結孔１２５は、外側締結孔部１２５ａおよび内側締結孔部１２５ｂを含んでいる。図５（ａ）に示すように、前記外側締結孔部１２５ａは、前記外郭枠部１２４の外側に形成され、前記外郭枠部１２４の表面から内側に向かって一定の長さの区間に沿って直径が徐々に減少する形態で形成される孔の形態で形成される部分である。また、前記内側締結孔部１２５ｂは、前記外側締結孔部１２４ａと連結され、前記一定の長さの区間以降では、直径が一定に維持されるように形成されている部分である。
【００６６】
また、前記外側締結孔部１２５ａおよび内側締結孔部１２５ｂは、フック締結手段１２３との締結を維持しながらも芝の通過空間に影響を与えないように、所定の直径を持つ。これらの外側締結孔部１２５ａ及び内側締結孔部１２５ｂの直径は、図５（ａ）に示すように、前記外郭枠部１２４の厚さよりも薄く形成される。
【００６７】
また、これらの外側締結孔部１２５ａ及び内側締結孔部１２５ｂは、前記フック締結手段１２３との締結時に、フック締結手段１２３の挿入が容易になるように、半径方向に所定の弾性力を持つようにすることが望ましい。
【００６８】
また、図５（ｂ）は、本発明の締結孔１２５の断面が矩形の形態であることを例示している。図５（ｂ）に示された締結孔１２５も前記フック締結手段１２３との締結時にフック締結手段１２３の挿入が容易になるように、側方向に所定の弾性力を有するようにすることが望ましい。
【００６９】
以上の図面から見られるように、図５（ａ）に図示された前記締結孔１２５は、図４（ａ）に図示された形態のフック締結手段１２３と締結するのに適した形態であり、また、図５（ｂ）に図示された前記締結孔１２５は、図３（ａ）または図３（ｂ）に図示された形態のフック締結手段１２３と締結するのに適した形態である。
【００７０】
次に、本発明の実施例に係るフック締結手段及び締結孔の締結過程を、図４（ａ）および図５（ａ）を参照して説明する。
【００７１】
芝保護マット１２０に、他の芝保護マット１２０を隣接して配置する場合には、芝保護マット１２０の外郭枠部１２４に支持・固定されたフック締結手段１２３が、他の芝保護マット１２０の締結孔１２５を挿通するように構成される。
【００７２】
ここで、側方向に突出する構造を有する、前記フック締結手段１２３は、そのヘッド部１２３ａが締結孔１２５を挿通してかかっている形態で提供される。すなわち、前記フック締結手段１２３のヘッド部１２３ａが、まるで側方向に進行するように突出して、前記外側締結孔部１２５ａを経て、前記内側締結孔部１２５ｂに到達してかかっている作動形態で提供される。
【００７３】
同様に、追加の芝保護マット１２０を隣接してさらに配置すれば、つまり、１つのマットのフック締結手段１２３が、それに隣接する他のマットの締結孔１２５を挿通するように構成されると、複数の芝保護マット１２０が連結される構造が形成される。これにより、複数の芝保護マット１２０が側方向に締結される構造により芝保護マットが相互固定され、水平方向に拡張された一体型の芝保護マットが形成されるようになる。
【００７４】
また、各芝保護マット１２０の間に設けられたフック締結手段１２３は、各マットの外郭枠部に直接連結して、マットの収縮−膨張の補償のための一定の間隔を形成することによって、実際のマットの施工後のマットが収縮または膨張されてもマットの熱による変形を従来よりもさらに最小化して、マットの収縮または膨張補償効率をさらに高めることができる。
【００７５】
したがって、本発明の実施例によると、芝保護マットの側方向にフック締結手段及び締結孔を設けることで、芝保護マット間の連結施工と、その分離が非常に容易になるだけでなく、収縮−膨張補償手段としても作用する機能を追加で持つようになる。
【００７６】
図６（ａ）ないし図６（ｃ）は、本発明に係る他の形態の芝保護マットを示した図面である。
【００７７】
前記のような本発明に係る実施例は、様々な形態の芝の通過空間を有する複数の芝保護マット１２０の結合で具現されることができる。
【００７８】
図６（ａ）は、それぞれ菱形状のボディ部によって、芝の通過空間らが次いで所定のパターンで形成されたことを例示して、図６（ｂ）は、それぞれ八角形態のボディ部によって、芝の通過空間らが次いで所定のパターンで形成されたことを例示し、図６（ｃ）は、それぞれ四角形態のボディ部によって、芝の通過空間らが次いで所定のパターンで形成されたことを例示する。
【００７９】
前記のような本発明によると、一体の組立方式の構造を有する芝保護マットでは、マットの側方向に設けられたフック締結手段と、これに対応する締結孔を利用して、マット間の締結強度を維持して、意図していない外力によっても難なく解けないだけではなく、その締結作業を非常に容易にすることができ、また、その分解作業が非常に簡単に行われる利点がある。
【００８０】
本発明の権利範囲は、上述の実施例に限られるわけではなく、添付された特許請求範囲内で多様な形態の実施例に具現され得る。特許請求範囲で請求する本発明の要旨を脱したことがなく、当該発明が属する技術分野で通常の知識を有する者であれば、誰でも変形可能な様々な範囲まで本発明の請求範囲の記載の範囲内である。
【符号の説明】
【００８１】
１２０：芝保護マット
１２１：ボディ部
１２３：フック締結手段
１２４：外郭枠部
１２５：締結孔
【図１】
2018174935.tif 000003
【図２】
2018174935.tif 000004
【図３】
2018174935.tif 000005
【図４】
2018174935.tif 000006
【図５】
2018174935.tif 000007
【図６】
2018174935.tif 000008